(57)【特許請求の範囲】
【請求項１】
開口部を設けた天板と、当該開口部の上方に被加熱物を支持する五徳と、前記五徳により支持された前記被加熱物を加熱するバーナと、前記五徳が天板上に位置され且つ五徳上に支持された被加熱物を前記バーナにより加熱可能な使用状態と、前記五徳及び前記バーナが前記天板下に収納された収納状態とに、前記五徳及び前記バーナの姿勢を切換える切換手段を備えたガスコンロであって、
前記五徳が、その最大外径が前記開口部の開口径より大きい拡径姿勢と、当該最大外径が前記開口部の開口径より小さい縮径姿勢との間で姿勢変更自在に構成され、
前記五徳の前記使用状態の位置である使用位置と前記収納状態での位置である収納位置との間で、前記五徳を移動させる移動手段を備えるとともに、
前記移動手段による前記五徳の移動に伴って、前記五徳を前記拡径姿勢と前記縮径姿勢に姿勢変更する姿勢変更手段を備え、
前記五徳が、前記使用状態において、前記被加熱物を支持する当接支持部と、前記当接支持部より前記天板側に位置する基部とを備えた複数の爪部材から成り、
前記爪部材が、前記天板に沿って配置される回転軸周りに回動自在に構成され、
前記爪部材が回転軸の周りで回動して、前記五徳が前記拡径姿勢と前記縮径姿勢との間で姿勢変更されるガスコンロ。
【請求項２】
前記回転軸は、前記開口部の内周縁より開口部中心側に設けられている請求項１に記載のガスコンロ。
【請求項３】
前記爪部材は、前記回転軸から見て前記当接支持部側に位置する被揺動部と、前記回転軸から見て前記被揺動部とは反対側に位置する揺動端部とを備え、
前記回転軸に対する前記揺動端部の位置を決定するリンク機構を備え、
前記リンク機構により決定される前記揺動端部の位置により、前記爪部材の姿勢が決定される請求項１又は２に記載のガスコンロ。
【請求項４】
前記爪部材が天板面に直交する上下方向に伸びる板状に形成され、前記爪部材が前記回転軸周りで回動して、前記五徳の姿勢が姿勢変更される請求項１乃至３の何れか一項に記載のガスコンロ。
【請求項５】
前記五徳が前記縮径姿勢を取り、前記収納位置に位置する収納状態で、前記開口部を閉止する閉止位置に位置するとともに、前記五徳が前記拡径姿勢を取り、前記使用位置に位置する使用状態で、前記開口部から離脱した離脱位置に位置する蓋部を備えた請求項１乃至４の何れか一項に記載のガスコンロ。
【請求項６】
前記天板に沿う方向において、前記蓋部を前記開口部の下方位置と前記開口部の下方位置から外れた離間位置との間で移動させる蓋部移動手段を備え、
前記蓋部が前記蓋部移動手段により前記開口部の前記下方位置に位置されている状態で、前記移動手段により前記五徳を上昇移動させ、前記蓋部を上昇移動させて前記開口部を前記蓋部により閉止する請求項５に記載のガスコンロ。
【発明の詳細な説明】
【技術分野】
【０００１】
本発明は、開口部を設けた天板と、被加熱物を前記開口部上に支持する五徳と、前記五徳に支持された被加熱物を加熱するバーナと、前記五徳が天板上に位置され且つ五徳上に支持された被加熱物を前記バーナにより加熱可能な使用状態と、前記五徳及び前記バーナが前記天板下に収納された収納状態とに、前記五徳及び前記バーナの姿勢を切換える切換手段を備えたガスコンロに関する。
【背景技術】
【０００２】
五徳とバーナとを備え、当該五徳により被加熱物を開口部上に支持し、バーナにより加熱するガスコンロであって、上記のような五徳及びバーナの姿勢変更を行うコンロが、特許文献１に示されている。
特許文献１に記載のガスコンロは、美観性及び清掃性の向上を目的とするものであり、天板に設けられた開口部を介して、五徳及びバーナを、天板上に位置する使用位置と天板下に位置する収納位置との間で移動させる。
このガスコンロでは、五徳は、収納状態から使用状態への移行に際して、天板の下から上に移動された後、天板に沿ってバーナを中心として拡径される。一方、使用状態から収納状態への移行に際しては、最初に、天板に沿って縮径した後に、五徳が天板の下方へ移動される。
【先行技術文献】
【特許文献】
【０００３】
【特許文献１】特開２００７−２６３３７８号公報
【発明の開示】
【発明が解決しようとする課題】
【０００４】
このガスコンロでは、天板上から天板下への移動又は天板下から天板上への移動動作と、五徳の拡径又は縮径動作とが連動することなく、一方の動作が終了した後、他方の動作が開始される形態となっているため、収納状態から使用状態への移行或はその逆の移行動作に時間を要する。さらに、この文献に開示の技術では、五徳の拡径或は縮径動作が、バーナを中心とする天板面に沿った動作とされていたため、この拡径機構又は縮径機構が複雑となり、利便性に欠けるといった問題があった。
【０００５】
本発明は、上述の課題に鑑みてなされたものであり、その目的は、少なくとも五徳の天板を介する位置移動をできるだけスムーズに行うことができ、さらに、五徳の拡径或は縮径動作を、上記位置移動に連動して行うことができ、例えば、五徳の天板上への移動を完了した状態で、被加熱物の加熱を始めることができる利便性の高いガスコンロを提供する点にある。
【課題を解決するための手段】
【０００６】
上記目的を達成するための本発明のガスコンロは、
開口部を設けた天板と、当該開口部の上方に被加熱物を支持する五徳と、前記五徳により支持された前記被加熱物を加熱するバーナと、前記五徳が天板上に位置され且つ五徳上に支持された被加熱物を前記バーナにより加熱可能な使用状態と、前記五徳及び前記バーナが前記天板下に収納された収納状態とに、前記五徳及び前記バーナの姿勢を切換える切換手段を備えたガスコンロであって、その特徴構成は、
前記五徳が、その最大外径が前記開口部の開口径より大きい拡径姿勢と、当該最大外径が前記開口部の開口径より小さい縮径姿勢との間で姿勢変更自在に構成され、
前記五徳の前記使用状態の位置である使用位置と前記収納状態での位置である収納位置との間で、前記五徳を移動させる移動手段を備えるとともに、
前記移動手段による前記五徳の移動に伴って、前記五徳を前記拡径姿勢と前記縮径姿勢に姿勢変更する姿勢変更手段を備え、
前記五徳が、前記使用状態において、前記被加熱物を支持する当接支持部と、前記当接支持部より前記天板側に位置する基部とを備えた複数の爪部材から成り、
前記爪部材が、前記天板に沿って配置される回転軸周りに回動自在に構成され、
前記爪部材が回転軸の周りで回動して、前記五徳が前記拡径姿勢と前記縮径姿勢との間で姿勢変更される点にある。
【０００７】
このガスコンロには、従来設けられてきた移動手段と、姿勢変更手段とが設けられる。
ここで、移動手段は、その働きとして、五徳及びバーナの使用位置から収納位置への移動及び収納位置から使用位置への移動を受け持つ。
一方、姿勢変更手段は、移動手段により発生される位置移動に伴って、五徳を姿勢変更する。具体的には、少なくとも五徳の使用位置から収納位置への移動に伴って、五徳を拡径姿勢から縮径姿勢に姿勢変更し、この状態で収納位置への収納を完了する。そして、その収納位置から使用位置への移動に伴って、五徳を縮径姿勢から拡径姿勢に姿勢変更し、その状態で使用位置への位置移動を完了する。
結果、五徳及びバーナの天板下への収納動作、天板上への移動動作を、できるだけスムーズ且つ五徳の拡径動作或いは縮径動作とともに一度の動作として行うことができ、五徳の天板上への移動を完了した状態で、直ちに被加熱物の加熱を始めることができる利便性の高いガスコンロを提供することができた。
更に、上記特徴構成によれば、当接支持部及び基部を有する爪部材が、天板に沿って配置される回転軸周りに回動自在に構成されているので、当該爪部材は天板に直交する方向で回動する。これにより、通常、天板に沿ってバーナ周りに放射状に複数設けられる爪部材は、天板に直交する方向で、互いに干渉することなく回動して、拡径姿勢と縮径姿勢との姿勢変更が適切に実現できる。
【００１０】
本発明のガスコンロの更なる特徴構成は、
前記回転軸は、前記開口部の内周縁より開口部中心側に設けられている点にある。
【００１１】
上記特徴構成によれば、複数の爪部材を、開口部の内周縁より開口部中心側に設けるとともに天板に沿って設けられる回転軸周りに回動させ、その回動に伴って、開口部の内周縁より開口部中心側へ集約させることができる。結果、複数の爪部材は、使用位置と収納位置との間で移動する際に、開口部の内周縁より開口部中心側へ集約された状態で、開口部に干渉等することなく適切に移動できる。
【００１２】
本発明のガスコンロの更なる特徴構成は、
前記爪部材は、前記回転軸から見て前記当接支持部側に位置する被揺動部と、前記回転軸から見て前記被揺動部とは反対側に位置する揺動端部とを備え、
前記回転軸に対する前記揺動端部の位置を決定するリンク機構を備え、
前記リンク機構により決定される前記揺動端部の位置により、前記爪部材の姿勢が決定される点にある。
【００１３】
上記特徴構成によれば、リンク機構は、回転軸に対する爪部材の揺動端部の位置を決定し、回転軸を中心として爪部材の被揺動部の位置を決定でき、結果、爪部材の姿勢を決定できる。これにより、リンク機構は、五徳の収納位置と使用位置との間での移動に伴って、爪部材の揺動端部の位置を適宜決定して爪部材の姿勢を決定し、五徳を縮径姿勢と拡径姿勢との間で適切に姿勢変更することができる。
【００１４】
本発明のガスコンロの更なる特徴構成は、
前記爪部材が天板面に直交する上下方向に伸びる板状に形成され、前記爪部材が前記回転軸周りで回動して、前記五徳の姿勢が姿勢変更される点にある。
【００１５】
上記特徴構成によれば、爪部材は、天板に直交する上下方向に伸びる板状に形成され、当該板状の爪部材が、天板に沿って設けられた回転軸の周りで回動するため、天板に直交する方向で回転することとなり、板の面方向に沿って回動する。結果、回動において、複数の爪部材同士が、互いに干渉することを抑制できる。
【００１６】
本発明のガスコンロの更なる特徴構成は、
前記五徳が前記縮径姿勢を取り、前記収納位置に位置する収納状態で、前記開口部を閉止する閉止位置に位置するとともに、前記五徳が前記拡径姿勢を取り、前記使用位置に位置する使用状態で、前記開口部から離脱した離脱位置に位置する蓋部を備えた点にある。
【００１７】
上記特徴構成によれば、五徳が縮径姿勢となり収納位置に位置する収納状態で、蓋部が開口部を閉止する閉止位置に位置するので、天板の上面を略平面状とすることができ、美観と清掃性に優れたガスコンロとすることができる。
また、五徳が拡径状態となり使用位置に位置する使用状態で、蓋部が開口部から離脱した離脱位置に位置するので、開口部を開放して、当該開口部を五徳及びバーナが通過可能な状態に維持できる。
【００１８】
本発明のガスコンロの更なる特徴構成は、
前記天板に沿う方向において、前記蓋部を前記開口部の下方位置と前記開口部の下方位置から外れた離間位置との間で移動させる蓋部移動手段を備え、
前記蓋部が前記蓋部移動手段により前記開口部の前記下方位置に位置されている状態で、前記移動手段により前記五徳を上昇移動させ、前記蓋部を上昇移動させて前記開口部を前記蓋部により閉止する点にある。
【００１９】
上記特徴構成によれば、特に、蓋部が開口部の下方位置から外れた離間位置から開口部を閉止する閉止位置へ移動するときに、蓋部が蓋部移動手段により開口部の下方位置に位置されている状態で、移動手段により五徳及びバーナを下方から上方へ移動させる形態で、五徳又はバーナを蓋部の下端部位を下方から上方へ押し上げることにより、開口部を閉止できる。即ち、蓋部の離間位置から閉止位置への移動において、その上下方向の移動を、専用の移動手段によらず、五徳及びバーナを上下動させる移動手段にて実行しているので、構成の簡略化を図ることができる。
【図面の簡単な説明】
【００２０】
【図１】ガスコンロの要部の斜視図である。
【図２】拡径姿勢にある五徳及びバーナの使用位置での一部断面図である。
【図３】縮径姿勢にある五徳及びバーナの収納位置での一部断面図である。
【図４】五徳及びバーナの使用位置を示す一部断面図である。
【図５】五徳及びバーナの使用位置から収納位置への遷移状態を示す一部断面図である。
【図６】五徳及びバーナの収納位置での状態を示す一部断面図である。
【図７】五徳及びバーナの五徳にて蓋部を閉止位置へ押し上げる状態を示す一部断面図である。
【発明を実施するための形態】
【００２１】
本発明のガスコンロの実施形態を、図面に基づいて説明する。
本実施形態に係るガスコンロは、図１〜３に示す様に、開口部１０を設けた天板１１と、当該開口部１０の上に被加熱物（図示せず）を支持する五徳１２と、燃料ガスＧを燃焼させてその燃焼炎により五徳１２上に支持された被加熱物を加熱するバーナ１３とを備えて構成されている。
【００２２】
本願に係るガスコンロは、開口部１０を介して、少なくとも五徳１２が、天板１１の上部から下部へ、下部から上部へと移動される。そこで、ガスコンロには、詳細は後述するが、少なくとも五徳１２を、天板１１の上下間で移動させる移動手段が備えられているとともに、この五徳１２の移動に伴って、五徳１２の姿勢を、拡径姿勢と縮径姿勢との間で姿勢変更する姿勢変更手段が備えられている。この五徳１２の上下方向移動に伴ってバーナ１３も同時に上下方向に移動する。
【００２３】
以下の説明では、五徳１２が天板１１上に位置し、五徳上に被加熱物を支持した状態で、バーナ１３により被加熱物を加熱可能であるため、この使用状態で五徳１２が位置される位置を「使用位置」と呼び、五徳１２が天板１１下に位置し、ガスコンロ内に収納された収納状態で、五徳１２が位置される位置を「収納位置」と呼ぶことがある。
【００２４】
さらに、ガスコンロは、五徳１２及びバーナ１３が天板１１下に収納された状態で、天板１１に設けられている開口部１０を閉止する蓋部３８を備えている。
【００２５】
〔天板に設けられる開口部及び鍔部〕
図１、図６に示すように、ガスコンロは、天板１１を備えて構成されており、この天板１１の所定箇所に開口部１０を備えて構成されている。この開口部１０は、ガスコンロに備えるべき加熱調理箇所の数だけ設けられており、例えば、３口コンロの場合は開口部１０が３箇所、４口コンロの場合は開口部１０が４箇所、備えられることとなる。
各開口部１０には、本願にいう五徳１２及びバーナ１３がそれぞれ一個ずつ備えられている。
図６から、明らかなように、各開口部１０の縁部には、例えばステンレス製のリング部材からなる鍔部３３が備えられている。鍔部３３は、天板１１に固定される形態が採用されており、鍔部３３の上部内周側に、開口中央側に突出した環状突出部４５が設けられている。
この環状突出部４５は、後に説明する五徳１２の姿勢変更において、上昇移動される第１板状体３２の上側への移動を規制する役割を果たす。
【００２６】
先に説明したように、本願に係るガスコンロは、五徳１２及びバーナ１３を開口部１０に対して上下移動自在に備えているとともに、五徳１２及びバーナ１３が収納位置にある状態で、開口部１０を蓋部３８にて閉止自在に備えている。
【００２７】
そこで、ガスコンロには、図２、３に示すように、天板１１に対して、その下側に位置が固定されたコンロ基部４６を備えるとともに、このコンロ基部４６と天板１１との間で上下方向に移動自在な上下移動板２１を備えている。この上下移動板２１には、バーナ１３と、そのバーナ１３に対して上下方向に移動自在な第１板状体３２、およびバーナ１３に固定される第２板状体３４が備えられている。さらに第１板状体３２の所定箇所には、五徳１２を構成する複数の爪部材２８が、第１板状体３２上に、天板１１に沿って（天板面の広がり方向に沿って）それぞれ設けられた回転軸Ｌ周りに回動自在に設けられている。一方、第２板状体３４は、バーナ１３引いては上下移動板２１に固定されて設けられている。この第２板状体３４と爪部材２８の揺動端部３０とが、本願独特のリンク機構を介して接続されている。このリンク機構は、リンク部材３１を備え、リンク部材３１の一方端が第２板状体３４に備えられる第２板状体側枢支軸３７に接続されるとともに、リンク部材３１の他方端が爪部材２８の揺動端部３０に備えられる爪部材側枢支軸３０ａで接続されている。
【００２８】
上記第１板状体３２は、バーナ１３引いては上下移動板２１に対して相対移動自在とされているのに対して、第２板状体３４は固定されている。従って、第１板状体３２と第２板状体３４との間隔が変わる。この間隔の変化が、リンク機構を成すリンク部材３１の姿勢変更をもたらし、爪部材２８の揺動端部３０の回転軸Ｌに対する位置が変更されることにより、爪部材２８の姿勢を決定するように構成されている。
【００２９】
第１板状体３２と第２板状体３４との離間距離は、五徳１２及びバーナ１３が収納位置（図３に示す位置）にある収納状態で、プランジャー３５により大きく維持される。即ち、この収納位置にある収納状態で、爪部材２８は収納姿勢（図３に示す姿勢）となり、複数の爪部材２８からなる五徳１２が縮径姿勢（図３に示す姿勢）となる。
これに対して、五徳１２及びバーナ１３がその収納位置から上昇操作されると、第１板状体３２の周縁部上部端が、鍔部３３の上部内周側に設けられた環状突出部４５に当接し、その上昇移動が規制される。これに対して、第２板状体３４、バーナ１３、及び上下移動板２１がさらに上昇移動された場合、第２板状体３４が第１板状体３２に近接し、リンク部材３１が縦姿勢から横姿勢に姿勢変更されることにより、爪部材２８の姿勢が決定される。即ち、五徳１２及びバーナ１３がこの使用位置（図２に示す位置）にある使用状態で、爪部材２８は使用姿勢（図２に示す姿勢）となり、五徳１２が拡径姿勢（図２に示す姿勢）を取る。
【００３０】
以上が、五徳１２及びバーナ１３の動きの概略であるが、蓋部３８の動きの概略は以下の通りである。
図５、６に示すように、ガスコンロには、天板１１に対して、その下側に位置固定されたコンロ基部４６を有し、そのコンロ基部４６に、開口部１０を閉止するための蓋部３８を、開口部１０の中心Ｐ（図１（ｃ）に図示）から偏心した位置に設けられた蓋部用回転軸３９周りに回動自在に備えるとともに、さらに、その軸方向である上下方向に移動自在としている。本例では、蓋部３８の回動は、コンロ基部４６に設けられた第２電動モータ４０により行われる構成が採用されており、上下方向移動は、五徳１２の上下移動に伴って、蓋部３８を上昇もしくは下降させるように構成されている。
【００３１】
以下、ガスコンロの構造とともに、さらに詳細に説明する。
〔バーナ〕
図２、３に示す様に、バーナ１３が、混合ガス噴出口（図示せず）を備えたバーナ本体１４と、当該バーナ本体１４に導かれる燃料ガスＧと燃焼用空気Ａとの混合ガスＭに点火する点火プラグ（図示せず）と、バーナ本体１４の上方に位置して被加熱物の底部の温度を測定する温度検知センサ１６と、バーナ本体１４に混合ガスＭを導く混合管１７とを一体的に備えて構成されている。先にも示したように、このバーナ１３は、上下移動板２１に載置されているため、移動手段の働きにより、上下移動板２１とともに開口部１０に近接・離間する形態で上下方向に移動する。
【００３２】
一方、当該バーナ１３とは別体で、先端の燃料ノズル２０に燃料ガスＧを導くガス供給管１９が、コンロ基部４６に位置固定された状態で設けられている。混合管１７の開口部は、その使用位置において、燃料ノズル２０に対向する位置に位置するように構成されている。
【００３３】
図２に示すように、被加熱物を加熱する場合には、その使用位置で、燃料ノズル２０から燃料ガス導入口１８に向けて燃料ガスＧが噴出されるとともに、燃料ノズル２０と混合管１７との間に形成された吸引空間から周囲の燃焼用空気Ａが、燃料ガスＧに誘引され、混合管１７の内部にて混合ガスＭが形成される。当該混合ガスＭは、バーナ本体１４内に供給され、炎口（図示せず。その他バーナ本体の詳細構造は図示せず。）から噴出して燃焼し、被加熱物を加熱することができる。
尚、混合管１７はベンチュリー管となっており、燃料ノズル２０と混合管１７の間に隙間があっても、上述のように一次空気を吸引する負圧が形成されるため、外部に燃料ガスが漏出することはない。
【００３４】
〔移動手段〕
図２に示すように、コンロ基部４６には、第１電動モータ２４がその回転軸を上下方向に向けて設けられているとともに、この第１電動モータ２４の回転軸と並列する状態で、前記上下移動板２１を、その下側より支持する回転支持軸２２が設けられている。この回転支持軸２２の周部には雄ネジが形成されており、この回転支持軸２２がコンロ基部４６に固定されたガイド部材４７により、回転支持軸２２の軸方向である上下方向（図２で矢印Ｚ方向）に案内される。また、回転支持軸２２の雄ネジに羅合する雌ネジを備えた従動プーリ２３が、上下方向において位置固定された状態で設けられている。そして、この従動プーリ２３は、第１電動モータ２４の回転軸と一体回転する駆動プーリ４３により回転される構造が採用されている。
これまで説明してきた、五徳１２、バーナ１３、第１板状体３２、第２板状体３４及びリンク機構は、図２、図３に示すように、その下方より上下移動板２１にて支持されており、当該上下移動板２１には、上述の回転支持軸２２が、相対回転自在に備えられている。
【００３５】
結果、上記上下移動板２１は、第１電動モータ２４の正転・逆転により、上下方向の任意の方向に移動可能である。
【００３６】
尚、バーナ１３を支持する上下移動板２１の下方には、回転支持軸２２とは別に、上下方向（図２、３で矢印Ｚ方向）にて、移動をガイドする複数の棒状ガイド部４１が接続されている。バーナ１３は、当該棒状ガイド部４１にガイドされることにより、使用位置と収納位置との間で移動する際に回転運動が規制され、その姿勢を略一定に保った状態で移動する。
【００３７】
即ち、当該第１電動モータ２４及び回転支持軸２２及び従動プーリ２３、駆動プーリ４３、棒状ガイド部４１等により、少なくとも五徳１２を、天板上に位置する使用位置と天板下に位置する収納位置との間で移動させる移動手段が構成されている。
【００３８】
〔五徳〕
五徳１２は、天板上に位置する使用位置（図２に示す位置）と天板下に位置する収納位置（図３に示す位置）との間で、移動可能に構成されていると共に、使用位置と収納位置との間の移動に伴って、当該五徳１２の最大外径（図２で矢印Ｘ１）が、使用位置において、天板１１の開口部１０の開口径Ｘ２より大きい拡径姿勢（図２で示す姿勢）と、収納位置において、天板１１の開口部１０の開口径Ｘ２より小さい縮径姿勢（図３で示す姿勢）との間で姿勢変更自在に構成されている。以下にその詳細構成について説明する。
【００３９】
五徳１２に対して、当該五徳１２と共に移動する第１板状体３２が設けられている。第１板状体３２は、平面視において、環状の板形状を有している。平面視において、第１板状体３２の外周縁３２ａは、開口部１０の内周縁１０ａに略一致するとともに、第１板状体３２の内周縁３２ｄは、バーナ本体１４の外周縁１４ａに略一致する形状となっている。
第１板状体３２は、五徳１２が使用位置に位置する状態で、その上面３２ｃと天板１１の上面１１ａとを略同一平面に位置させるべく、その外周縁３２ａに外側に向けて突出する凸部３２ｂを有している。そして、第１板状体３２は、天板１１の下方から上方へ向けて移動する際、凸部３２ｂが、開口部１０の内周縁１０ａから中心Ｐ側に向けて設けられた鍔部３３の環状突出部４５に当接する。
【００４０】
五徳１２は、複数の爪部材２８から構成されている。本例では、６つの爪部材２８から構成されている。この爪部材２８は、使用位置において、被加熱物に当接して被加熱物を支持する当接支持部２６と、当接支持部２６より天板１１側に位置する基部２７とを備えている。即ち、爪部材２８は、略Ｕ字型とされている。
爪部材２８は、上下方向（図１（ａ）でＺ方向）に延びる板状体として形成されており、これら爪部材２８が、開口部１０の中心Ｐ（図１（ｃ）に図示）からの放射線上に沿うように、開口部１０の周方向で略均等に配置されている。
【００４１】
爪部材２８の当接支持部２６の先端部２６ａは、図２に示すように、五徳１２の使用状態で開口部１０の中心Ｐ側へ方向付けられ、図３に示すように、五徳１２の収納状態では、概略、天板１１から離れる下方向に方向付けられるように構成されている。
【００４２】
前記第１板状体３２には、その軸心方向を天板１１の広がり方向の天板面に沿わせるとともに、開口部１０の接線方向に沿わせた、爪部材２８の回転軸Ｌが設けられている。
この回転軸Ｌは、爪部材２８の基部２７の一端側の部位（開口部１０の中心Ｐ側の部位）に挿通されている。従って、爪部材２８は、上記第１板状体３２に対して当該回転軸Ｌ周りで揺動可能とされている。
尚、当該回転軸Ｌは、図２、３に示すように、開口部１０の内周縁１０ａより開口部中心側に設けられている。ここで、開口部１０の内周縁１０ａより開口部中心側とは、図２、３において、矢印Ｘ２で示される範囲より内側、即ち、開口部１０の中心Ｐ側を意味する。
【００４３】
結果、爪部材２８は、図１（ａ）と図１（ｂ）、及び、図２と図３に示す様に、天板１１に沿って配置される回転軸Ｌ周りに回動する形態で、五徳１２の拡径姿勢（図２に示す状態）と縮径姿勢（図３に示す状態）との間で、姿勢変更自在に構成されている。
【００４４】
先にも説明したように、爪部材２８の姿勢変更は、爪部材２８の揺動端部３０に接続されているリンク機構によって起こされる。
爪部材２８は、五徳１２の使用位置、収納位置に対応して、夫々、使用姿勢及び収納姿勢を取るが、これら爪部材２８の姿勢は、これまで説明した第１板状体３２及び第２板状体３４の離間間隔、リンク部材３１の姿勢、爪部材２８の回転軸Ｌとリンク部材３１の爪部材側枢支軸３０ａとの位置関係によって決まる構造とされている。即ち、主にこれらの部材及び連携構成により、本願にいう姿勢変更手段が構成されている。
【００４５】
理解を容易とするため、まず、爪部材２８の姿勢−第１板状体３２と第２板状体３４との離間間隔−リンク部材３１の姿勢−爪部材２８の回転軸Ｌとリンク部材の爪部材側枢支軸３０ａとの位置関係の順に整理して示す。
図２に示す、五徳１２が使用位置に位置し、拡径姿勢を示す使用状態では、爪部材姿勢（拡径姿勢）−第１板状体３２と第２板状体３４との離間間隔（近接）−リンク部材３１の姿勢（長手方向が斜めを向く傾斜姿勢）−爪部材２８の回転軸Ｌとリンク部材３１の爪部材側枢支軸３０ａとの位置関係（回転軸Ｌに対して爪部材側枢支軸３０ａが概略内径側に位置する）となる。
【００４６】
図３に示す、五徳１２が収納位置に位置し、縮径姿勢を示す収納状態では、爪部材姿勢（縮径姿勢）−第１板状体３２と第２板状体３４との離間間隔（遠隔）−リンク部材３１の姿勢（長手方向がほぼ上下方向を向く鉛直姿勢）−爪部材２８の回転軸Ｌとリンク部材３１の爪部材側枢支軸３０ａとの位置関係（回転軸Ｌに対して爪部材側枢支軸３０ａが概略上下方向下側に位置する）となる。
以下、個別に説明する。
〔リンク機構〕
爪部材２８は、回転軸Ｌを中心として見ると、図２に示す様に、回転軸Ｌから見て当接支持部２６側に位置する被揺動部２９と、回転軸Ｌから見て被揺動部２９とは反対側に位置する揺動端部３０とを備えている。当該揺動端部３０には、その位置を決定するリンク部材３１が爪部材側枢支軸３０ａを介して接続されている。当該リンク部材３１の他端は、バーナ１３、引いては上下移動板２１に固定されている第２板状体３４に設けられている第２板状体側枢支軸３７に接続されている。
そして、このリンク部材３１は、上述のように、第１板状体３２と第２板状体３４とが近接している状態では、長手方向が斜めを向く傾斜姿勢を取り、爪部材２８の回転軸Ｌとリンク部材３１の爪部材側枢支軸３０ａとの位置関係は、回転軸Ｌに対して爪部材側枢支軸３０ａが概略内径側に位置する関係となる。結果、この使用状態（図２に示す状態）では、爪部材２８はその長手方向が天板１１に沿う使用姿勢に維持され、五徳１２が拡径姿勢に維持される。
一方、リンク部材３１は、第１板状体３２と第２板状体３４とが離間している状態では、その長手方向が上下方向を向く鉛直姿勢を取り、爪部材２８の回転軸Ｌとリンク部材３１の爪部材側枢支軸３０ａとの位置関係は、回転軸Ｌに対して爪部材側枢支軸３０ａが概略上下方向下側に位置する関係となる。結果、この収納状態（図３に示す状態）では、爪部材２８はその長手方向が上下方向を向く収納姿勢に維持され、五徳１２が縮径姿勢に維持される。
【００４７】
従って、当該リンク部材３１が、爪部材２８の揺動端部３０の位置を、回転軸Ｌの周りで揺動変更させ、爪部材２８の長手方向が天板１１に沿う使用姿勢と、爪部材２８の長手方向が上下方向を向く収納姿勢との間で切り換えられる。結果、五徳１２が拡径姿勢にある場合、五徳１２の最大外径Ｘ１を開口部１０の開口径Ｘ２よりも大きくでき、五徳１２が縮径姿勢にある場合、五徳１２の最大外径Ｘ１を開口部１０の開口径Ｘ２よりも小さくできる。
【００４８】
次に、上記リンク部材３１が、五徳１２の使用位置と収納位置との間で移動する場合の五徳１２を姿勢変更動作について、図２〜６に基づいて、更に説明を加える。
〔使用位置と収納位置との間での移動に伴う姿勢変更〕
【００４９】
例えば、調理開始前の状態において、ガスコンロの使用者は、調理開始ボタン（図示省略）を操作する。
この操作により、第１電動モータ２４が始動する（例えば正転する）ことで、駆動プーリ４３、従動プーリ２３を介して回転支持軸２２が上方向に移動され、上下移動板２１が上方向に移動する。
【００５０】
この時、五徳１２及びバーナ１３が、図３に示す収納位置から、図５に示す中間位置まで移動する。
即ち、上下移動板２１の上昇移動に伴って、バーナ本体１４に一体的に設けられた第２板状体３４、リンク部材３１、第１板状体３２、及びプランジャー３５が、開口部１０の下方から開口の上方に向けて移動する。この時、第１板状体３２は、その上昇移動に関して規制を受けることはない。そして、中間位置に到達すると、第１板状体３２の凸部３２ｂが、開口部１０の鍔部３３の環状突出部４５に当接する。
【００５１】
収納位置と中間位置との間では、第２板状体３４に一体的に設けられたプランジャー３５が働き、第１板状体３２と第２板状体３４との間隔は大きいまま維持される。これにより、爪部材２８の揺動端部３０は回転軸Ｌと第２板状体側枢支軸３７との間に位置することとなり、揺動端部３０は、回転軸Ｌに対して下方側に位置し、被揺動部２９は回転軸Ｌに対して上方側に位置する。この結果、爪部材２８はその長手方向が上下方向を向く収納姿勢（図５に示す姿勢）をとり、五徳１２は、縮径姿勢（図５に示す姿勢）に維持される。
【００５２】
この後、五徳１２が、図５に示す中間位置から図４に示す使用位置まで移動すると、その移動方向（図５で矢印Ｚ方向）において、第１板状体３２は開口部１０の鍔部３３の環状突出部４５に当接して、その上昇が規制される。一方、第２板状体３４は、上下移動板２１、バーナ１３の上昇移動とともに天板１１側へ移動する。結果、第２板状体３４と第１板状体３２との間の離間距離は、プランジャー３５の押し力に抗して小さくなる。
【００５３】
これにより、爪部材２８の揺動端部３０は、回転軸Ｌと第２板状体側枢支軸３７との間の位置から、回転軸Ｌの横側に位置し、被揺動部２９は回転軸Ｌに対して揺動端部３０と反対側の横側に位置される。この結果、爪部材２８はその長手方向が上下方向を向く収納姿勢（図５に示す姿勢）からその長手方向が天板１１に沿う方向を向く使用姿勢（図４に示す姿勢）へ姿勢変更して、五徳１２が縮径姿勢（図５に示す姿勢）から拡径姿勢（図４に示す姿勢）へ姿勢変更する。
尚、このとき、揺動端部３０は、開口部１０の内周縁１０ａに摺動する形態で、その姿勢変更がガイドされる。
【００５４】
以上より、五徳１２の収納位置から使用位置への移動に伴って、五徳１２を縮径姿勢から拡径姿勢へ適切に姿勢変更させることとなる。
尚、五徳１２及びバーナ１３が使用位置から収納位置へ移行する場合には、上述の各機能部位が、これまで説明してきた動作と逆の動作を実行することで、五徳１２及びバーナ１３が使用位置から収納位置へ移行するのに伴って、五徳１２が拡径姿勢から縮径姿勢へと姿勢変更する。
【００５５】
〔蓋部〕
本実施形態のガスコンロでは、五徳１２及びバーナ１３が収納位置にあるときに、開口部１０を閉止する閉止位置（図３に示す位置）と、開口部１０の下方位置から外れた離間位置（図６に示す位置）と、開口部１０から離脱した離脱位置（図６、７に示す位置）との間で位置変更可能な蓋部３８が設けられている。以下では、当該蓋部３８の構成及び動作について、図１、２、３、６、７に基づいて説明を加える。
【００５６】
〔蓋部の水平方向の移動〕
図６、７に示すように、蓋部３８に対して、蓋部３８の下面から下方へ延びる蓋部用回転軸３９と、当該蓋部用回転軸３９を軸心周りで回転させる第２電動モータ４０とが設けられている。蓋部用回転軸３９は、天板１１に沿う方向で、開口部１０の中心Ｐ（図１（ｃ）に図示）から偏芯した位置に設けられている。これにより、第２電動モータ４０が、当該蓋部用回転軸３９をその軸周りで回転させることで、蓋部３８が、開口部１０の下方位置（図７に示す位置）と開口部１０の下方位置から外れた位置（例えば、図６に示す位置）との間で移動される。
尚、蓋部用回転軸３９には、その外周部位に突起部３９ａ（図２に図示）が設けられており、当該突起部３９ａの近傍には、当該蓋部用回転軸３９の軸周りの回転に伴う突起部３９ａの回転位置を検出する位置検出センサ４２が設けられている。第２電動モータ４０は、当該位置検出センサ４２の検出信号に基づいて、第２電動モータ４０の駆動量を制御する。このように第２電動モータ４０、蓋部用回転軸３９、及び回転位置検出センサ４２が、蓋部移動手段として機能する。
【００５７】
〔蓋部の上下方向の移動〕
上記の蓋部用回転軸３９は、その軸周りで回転自在に構成されるとともに、蓋部用回転軸３９が上下方向に伸縮自在、もしくは、上下方向に移動自在に構成されている。
従って、蓋部３８が開口部１０の下方位置（図７に示す位置）に位置している状態で、第１電動モータ２４が駆動して回転支持軸２２を上方へ移動させ、五徳１２及びバーナ１３を下方から蓋部３８へ向かう方向へ移動させ、五徳１２を蓋部３８の下端部位３８ａに当接させることで、開口部１０を閉止する閉止位置（図３に示す位置）に蓋部３８を移動させることができる。また、蓋部３８の外周縁には、その径方向で内側に引退する引退部３８ｂが形成されており、当該引退部３８ｂが開口部１０の鍔部３３の環状突出部４５に下方から嵌る形態で、蓋部３８にて開口部１０が閉止される。これにより、ガスコンロの天面は、天板１１の上面１１ａと蓋部３８の上面３８ｃとにより略水平な平面とでき、美観性及び清掃性が高くなる。
従って、本例では、蓋部３８の上下方向（図２、３で矢印Ｚに示す方向）での移動は、五徳１２及びバーナ１３を使用位置（図２に示す位置）と収納位置（図３に示す位置）との間で移動させる第１電動モータ２４を兼用することで実現されており、構造の簡略化を図っている。
【００５８】
〔別実施形態〕
（１）上記実施形態では、五徳１２が蓋部３８の下端部位３８ａに当接し、蓋部３８を上方へ押し上げる構成について説明したが、例えば、バーナ本体１４が蓋部３８の下端部位３８ａに当接し、蓋部３８を上方へ押し上げるように構成してもよい。この場合、バーナ本体１４は、その一部が蓋部３８の側へ突出する形状等とすることができる。
【００５９】
（２）上記実施形態において、バーナ１３は、バーナ本体１４に火炎の状態を検知する火炎検知センサをも一体的に備えるように構成しておいても良い。
【００６０】
（３）上記実施形態において、爪部材２８は、上下方向（図２、３で矢印Ｚ方向）に沿う形状であるとしたが、別に板状に限定されず、従来五徳１２して利用されてきた形状であれば、どのような形状のものでも利用できる。例えば、当接支持部２６及び基部２７が一体的に棒状に形成されているものであっても構わない。
【００６１】
（４）天板１１が比較的脆いガラスで構成されているときには、鍔部３３が必要になるが、天板１１が比較的強靱な金属板で構成される場合には省略して、天板１１に必要な加工を施して鍔部３３の機能を兼用させても良い。
【００６２】
（５）蓋部３８の移動は、回転運動に限られず、例えばスライド動作（平行移動）であっても構わない。
【産業上の利用可能性】
【００６３】
本発明のガスコンロは、五徳及びバーナが使用位置に移動した後、すぐに、五徳が被加熱物を安定して支持できる利便性の高いガスコンロとして、有効に利用可能である。
【符号の説明】
【００６４】
Ｌ              ：回転軸
Ｚ              ：上下方向
Ｘ２            ：開口部の口径
１０            ：開口部
１１            ：天板
１２            ：五徳
１３            ：バーナ
２６            ：当接支持部
２７            ：基部
２８            ：爪部材
２９            ：被揺動部
３０            ：揺動端部
３１            ：リンク部材
３８            ：蓋部
【図１】
0005576204.tif 000002
【図２】
0005576204.tif 000003
【図３】
0005576204.tif 000004
【図４】
0005576204.tif 000005
【図５】
0005576204.tif 000006
【図６】
0005576204.tif 000007
【図７】
0005576204.tif 000008